(57)【特許請求の範囲】
【請求項１】
着用式人身安全保護端末であって、腕輪と前記腕輪に固定的に設置された外殻とを含み、使用時に前記腕輪により前記着用式人身安全保護端末を手首に固定し、前記外殻の中にはエアチャンバが設置され、前記エアチャンバが前方に開口しており、前記エアチャンバの中にはエアバッグが設置され、前記外殻の中には反応機構が設置されており、
前記反応機構は二つの容器を含み、前記容器の中には容器チャンバが設置され、前記容器チャンバの中には反応溶液が盛り付けられており、二種の反応溶液が混合すると大量な気体を放出でき、前記外殻の中には反応チャンバが設置され、前記反応チャンバと前記エアバッグとの間が通気管により連通され、前記外殻の中にはバルブ機構が設置され、前記バルブ機構は前記容器チャンバの中の反応溶液を前記反応チャンバの中に入らせて混合して化学反応を行い、気体を放出し、
前記バルブ機構は前記外殻の中に設置された柱形チャンバを含み、前記容器チャンバと前記柱形チャンバとが連通管により連通され、前記柱形チャンバと前記反応チャンバとが連通穴により連通され、前記柱形チャンバの中には旋転ブロックが回転可能に設置され、前記旋転ブロックの外表面には右溝と、左溝とが設置され、前記右溝と前記左溝との間の角度が九十度であり、前記右溝と前記左溝とはそれぞれ右側の前記連通管と、左側の前記連通管と連通することができ、
前記外殻の中には制御機構が設置され、前記制御機構は前記旋転ブロックの回転の回数を制御して前記反応チャンバの中に入る反応溶液の量を調整することで、放出した気体の量を十分にして使用者を水面から浮き出させることができることを特徴とする着用式人身安全保護端末。
【請求項２】
前記制御機構が前記外殻の中に設置された伝動チャンバを含み、前記伝動チャンバの右壁の中には左方に開口した案内溝が設置され、前記案内溝の中には案内ブロックがスライド可能に設置され、前記案内ブロックの左端面にはラックが連結され、前記旋転ブロックの右端には前記伝動チャンバの中に延びたプーリ軸が固定的に設置され、前記伝動チャンバの左壁には歯車軸が回転可能に設置され、前記歯車軸と前記プーリ軸とがプーリ機構により伝動可能に連結され、前記歯車軸の右端には下歯車が固定的に設置され、前記案内ブロックの下端面には下引き線が固定的に設置され、前記下引き線の一端が前記外殻の外部まで延びており、前記下引き線の引き出される長さを調整することで前記旋転ブロックの回転回数を調整することができることを特徴とする請求項１に記載の着用式人身安全保護端末。
【請求項３】
前記外殻の右端面には右方に開口した収納溝が設置され、前記収納溝の中には引き輪が置かれ、前記下引き線の一端と前記引き輪とが固定的に連結されていることを特徴とする請求項２に記載の着用式人身安全保護端末。
【請求項４】
前記容器チャンバの中には第一ピストンがスライド可能に設置され、反応溶液が前記第一ピストンの下側に位置し、前記外殻の中にはカムチャンバが設置され、前記カムチャンバの中には前記伝動チャンバの中に伸びたカム軸が回転可能に設置され、前記カムチャンバの中には前記カム軸の左端と固定的に連結されたカムが設置され、前記カムの外表面にはスライド溝が設置され、前記カムチャンバの中には第二ピストンがスライド可能に設置され、前記第二ピストンの下端面には前記スライド溝とスライド可能に連結された伝動棒が固定的に設置され、前記カムチャンバと前記容器チャンバとが第一連結管により連通され、前記第一連結管の中には第一逆止弁が設置され、前記カムチャンバと前記外殻の外部とが第二連結管により連通され、前記第二連結管の中には第二逆止弁が設置され、前記伝動チャンバの中には前記カム軸の右端に固定的に連結された上歯車が設置され、前記ラックが下降すると前記上歯車と噛み合うことで前記第二連結管を通って前記第二ピストンの上側に入った水を、前記容器チャンバの中に流れ込ませて前記第一ピストンを下に圧することができ、前記第一ピストンの圧力作用により、前記容器チャンバの中の反応溶液は前記容器が逆にされても前記バルブ機構により前記反応チャンバの中に入ることができることを特徴とする請求項２に記載の着用式人身安全保護端末。
【請求項５】
前記案内ブロックの左端面には左方に開口した第一スライド溝が設置され、前記第一スライド溝の中には中間棒がスライド可能に設置され、前記中間棒の左端が前記ラックと固定的に連結され、前記中間棒と前記第一スライド溝の前壁との間には第一ばねが連結され、前記伝動チャンバの右壁には左方に開口した第二スライド溝が設置され、前記第二スライド溝の中にはスライドブロックがスライド可能に設置され、前記スライドブロックと前記第二スライド溝の内壁との間には第二ばねが連結され、前記スライドブロックの下端面には定位板が固定的に設置され、前記ラックが下降すると、前記スライドブロックが前記定位板を連動させて前へ前記中間棒を押圧し、前記ラックを前記上歯車と前記下歯車とを噛み合わせ、前記ラックが上昇して復帰すると、前記スライドブロックが復帰して前記ラックを上昇させて前記上歯車と前記下歯車とを噛み合わせないことで、前記ラックが下降するときだけ前記バルブ機構が作動し、反応溶液の容量を精確に制御する機能を実現することを特徴とする請求項４に記載の着用式人身安全保護端末。
【請求項６】
前記伝動チャンバの右壁には左方に開口した第三スライド溝が設置され、前記第三スライド溝の中には装着ブロックがスライド可能に設置され、前記装着ブロックと前記第三スライド溝の底壁との間には第三ばねが連結され、前記装着ブロックの左端面にはリール軸が回転可能に設置され、前記リール軸にはリールが固定的に設置され、前記リールには上引き線が周設され、前記リール軸と前記装着ブロックとの間にはねじりばねが連結され、前記上引き線の下端が前記案内溝の中に延びて前記案内ブロックの上端面と固定的に連結され、前記ねじりばねの弾力が前記第三ばねの弾力より大きいため、前記案内ブロックが下降する時に前記上引き線により前記装着ブロックを下降させ、前記リール軸の左端には押圧ブロックが回転可能に設置され、前記押圧ブロックの前端面が斜面となっており、前記押圧ブロックと前記スライドブロックの後端面とが当接していることを特徴とする請求項５に記載の着用式人身安全保護端末。
【請求項７】
前記反応溶液はそれぞれ塩酸と炭酸ナトリウムであることを特徴とする請求項１に記載の着用式人身安全保護端末。
【請求項８】
前記反応チャンバの底壁の中には手動バルブが設置され、前記外殻の外端面には定位できる定位機構が固定的に設置されていることを特徴とする請求項１に記載の着用式人身安全保護端末。
【発明の詳細な説明】
【技術分野】
【０００１】
本発明は着用式人身安全保護端末に関し、具体的には着用設備技術分野に関する。
【背景技術】
【０００２】
屋外の湖に泳ぐ趣味を持つ人が多く、しかし安全措置が足りないのは溺水事故の原因となり、水泳の安全保護にとっては見過ごせない問題である。
現在、水泳の安全保護装置として、浮き輪やビート板等のサイズの大きな装備があり、携帯に不便であり、使用に制限があり、しかも屋外水泳の場合、ほとんどの人は上記装置を携帯したくないため、上記問題を解決するために、着用でき且つ溺水寸前の状況で適時に保護装置を提供する。
市販されている救命ブレスレットは一般に溺水時に圧縮気体の注いだタンクによりエアバッグに空気を詰め、使用した度にガスタンクを入れ替える必要があり、ガスタンクの容量が固定されたため、その中の気体量が体重の異なる人に適用しにくく、体型のより大きい使用者の場合、浮力の不足により浮かれないこともある。上記問題に対し、本願発明は改善を行う。
【先行技術文献】
【特許文献】
【０００３】
【特許文献１】中国特許出願公開第１０５５５１１８１号明細書
【発明の概要】
【発明が解決しようとする課題】
【０００４】
本発明は解決する必要な技術問題が着用式人身安全保護端末を提供し、それは上記の現在の技術中の問題を解決できる。
【課題を解決するための手段】
【０００５】
本発明は以下の技術プランを提供する：本願発明の着用式人身安全保護端末は、腕輪と前記腕輪に固定的に設置された外殻とを含み、使用時に前記腕輪により前記着用式人身安全保護端末を手首に固定し、前記外殻の中にはエアチャンバが設置され、前記エアチャンバが前方に開口しており、前記エアチャンバの中にはエアバッグが設置され、前記外殻の中には反応機構が設置されている。
前記反応機構は二つの容器を含み、前記容器の中には容器チャンバが設置され、前記容器チャンバの中には反応溶液が盛り付けられており、二種の反応溶液が混合すると大量な気体を放出でき、前記外殻の中には反応チャンバが設置され、前記反応チャンバと前記エアバッグとの間が通気管により連通され、前記外殻の中にはバルブ機構が設置され、前記バルブ機構は前記容器チャンバの中の反応溶液を前記反応チャンバの中に入らせて混合して化学反応を行い、気体を放出する。
前記バルブ機構は前記外殻の中に設置された柱形チャンバを含み、前記容器チャンバと前記柱形チャンバとが連通管により連通され、前記柱形チャンバと前記反応チャンバとが連通穴により連通され、前記柱形チャンバの中には旋転ブロックが回転可能に設置され、前記旋転ブロックの外表面には右溝と、左溝とが設置され、前記右溝と前記左溝との間の角度が九十度であり、前記右溝と前記左溝とはそれぞれ右側の前記連通管と、左側の前記連通管と連通することができる。
前記外殻の中には制御機構が設置され、前記制御機構は前記旋転ブロックの回転の回数を制御して前記反応チャンバの中に入る反応溶液の量を調整することで、放出した気体の量を十分にして使用者を水面から浮き出させることができる。
【０００６】
前述した技術プランの上で、前記制御機構が前記外殻の中に設置された伝動チャンバを含み、前記伝動チャンバの右壁の中には左方に開口した案内溝が設置され、前記案内溝の中には案内ブロックがスライド可能に設置され、前記案内ブロックの左端面にはラックが連結され、前記旋転ブロックの右端には前記伝動チャンバの中に延びたプーリ軸が固定的に設置され、前記伝動チャンバの左壁には歯車軸が回転可能に設置され、前記歯車軸と前記プーリ軸とがプーリ機構により伝動可能に連結され、前記歯車軸の右端には下歯車が固定的に設置され、前記案内ブロックの下端面には下引き線が固定的に設置され、前記下引き線の一端が前記外殻の外部まで延びており、前記下引き線の引き出される長さを調整することで前記旋転ブロックの回転回数を調整することができる。
【０００７】
前述した技術プランの上で、前記外殻の右端面には右方に開口した収納溝が設置され、前記収納溝の中には引き輪が置かれ、前記下引き線の一端と前記引き輪とが固定的に連結されている。
【０００８】
前述した技術プランの上で、前記容器チャンバの中には第一ピストンがスライド可能に設置され、反応溶液が前記第一ピストンの下側に位置し、前記外殻の中にはカムチャンバが設置され、前記カムチャンバの中には前記伝動チャンバの中に伸びたカム軸が回転可能に設置され、前記カムチャンバの中には前記カム軸の左端と固定的に連結されたカムが設置され、前記カムの外表面にはスライド溝が設置され、前記カムチャンバの中には第二ピストンがスライド可能に設置され、前記第二ピストンの下端面には前記スライド溝とスライド可能に連結された伝動棒が固定的に設置され、前記カムチャンバと前記容器チャンバとが第一連結管により連通され、前記第一連結管の中には第一逆止弁が設置され、前記カムチャンバと前記外殻の外部とが第二連結管により連通され、前記第二連結管の中には第二逆止弁が設置され、前記伝動チャンバの中には前記カム軸の右端に固定的に連結された上歯車が設置され、前記ラックが下降すると前記上歯車と噛み合うことで前記第二連結管を通って前記第二ピストンの上側に入った水を、前記容器チャンバの中に流れ込ませて前記第一ピストンを下に圧することができ、前記第一ピストンの圧力作用により、前記容器チャンバの中の反応溶液は前記容器が逆にされても前記バルブ機構により前記反応チャンバの中に入ることができる。
【０００９】
前述した技術プランの上で、前記案内ブロックの左端面には左方に開口した第一スライド溝が設置され、前記第一スライド溝の中には中間棒がスライド可能に設置され、前記中間棒の左端が前記ラックと固定的に連結され、前記中間棒と前記第一スライド溝の前壁との間には第一ばねが連結され、前記伝動チャンバの右壁には左方に開口した第二スライド溝が設置され、前記第二スライド溝の中にはスライドブロックがスライド可能に設置され、前記スライドブロックと前記第二スライド溝の内壁との間には第二ばねが連結され、前記スライドブロックの下端面には定位板が固定的に設置され、前記ラックが下降すると、前記スライドブロックが前記定位板を連動させて前へ前記中間棒を押圧し、前記ラックを前記上歯車と前記下歯車とを噛み合わせ、前記ラックが上昇して復帰すると、前記スライドブロックが復帰して前記ラックを上昇させて前記上歯車と前記下歯車とを噛み合わせないことで、前記ラックが下降するときだけ前記バルブ機構が作動し、反応溶液の容量を精確に制御する機能を実現する。
【００１０】
前述した技術プランの上で、前記伝動チャンバの右壁には左方に開口した第三スライド溝が設置され、前記第三スライド溝の中には装着ブロックがスライド可能に設置され、前記装着ブロックと前記第三スライド溝の底壁との間には第三ばねが連結され、前記装着ブロックの左端面にはリール軸が回転可能に設置され、前記リール軸にはリールが固定的に設置され、前記リールには上引き線が周設され、前記リール軸と前記装着ブロックとの間にはねじりばねが連結され、前記上引き線の下端が前記案内溝の中に延びて前記案内ブロックの上端面と固定的に連結され、前記ねじりばねの弾力が前記第三ばねの弾力より大きいため、前記案内ブロックが下降する時に前記上引き線により前記装着ブロックを下降させ、前記リール軸の左端には押圧ブロックが回転可能に設置され、前記押圧ブロックの前端面が斜面となっており、前記押圧ブロックと前記スライドブロックの後端面とが当接している。
【００１１】
前述した技術プランの上で、前記反応溶液は塩酸と炭酸ナトリウムである。
【００１２】
前述した技術プランの上で、前記反応チャンバの底壁の中には手動バルブが設置され、前記外殻の外端面には定位できる定位機構が固定的に設置されている。
【発明の効果】
【００１３】
本発明の有益効果は：本願発明は化学反応により気体を生じ、使用者が溺水時に反応溶液の使用量を調整することで気体量を調整でき、使用者の体型がより大きければ、度を重ねて反応溶液を添加してもっと多くの気体を生じ、使用者を完全に水面から浮き出し、溺水による危険を避け、伝統的な溺水防止腕輪より実用性を大きく高める。
【図面の簡単な説明】
【００１４】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の全体構成概略図
【図２】図２は図１の「Ａ―Ａ」の構成概略図
【図３】図３は図１の「Ｂ―Ｂ」の構成概略図
【図４】図４は図１の「Ｃ」の構成概略図
【図５】図５は図３の「Ｄ―Ｄ」の構成概略図
【図６】図６は図３の「Ｅ―Ｅ」の構成概略図
【図７】図７は図１の「Ｆ」の構成概略図
【図８】図８は図１の「Ｇ」の構成概略図
【発明を実施するための形態】
【００１６】
図１〜８の示したように、本願発明の着用式人身安全保護端末は、腕輪６６と前記腕輪６６に固定的に設置された外殻１０とを含み、使用時に前記腕輪６６により前記着用式人身安全保護端末を手首に固定し、前記外殻１０の中にはエアチャンバ１１が設置され、前記エアチャンバ１１が前方に開口しており、前記エアチャンバ１１の中にはエアバッグ４５が設置され、前記外殻１０の中には反応機構９０が設置されている。
前記反応機構９０は二つの容器２４を含み、前記容器２４の中には容器チャンバ２２が設置され、前記容器チャンバ２２の中には反応溶液が盛り付けられており、二種の反応溶液が混合すると大量な気体を放出でき、前記外殻１０の中には反応チャンバ１７が設置され、前記反応チャンバ１７と前記エアバッグ４５との間が通気管１２により連通され、前記外殻１０の中にはバルブ機構９１が設置され、前記バルブ機構９１は前記容器チャンバ２２の中の反応溶液を前記反応チャンバ１７の中に入らせて混合して化学反応を行い、気体を放出する。
前記バルブ機構９１は前記外殻１０の中に設置された柱形チャンバ４９を含み、前記容器チャンバ２２と前記柱形チャンバ４９とが連通管２１により連通され、前記柱形チャンバ４９と前記反応チャンバ１７とが連通穴１９により連通され、前記柱形チャンバ４９の中には旋転ブロック２０が回転可能に設置され、前記旋転ブロック２０の外表面には右溝１６と、左溝４８とが設置され、前記右溝１６と前記左溝４８との間の角度が九十度であり、前記右溝１６と前記左溝４８とはそれぞれ右側の前記連通管２１と、左側の前記連通管２１と連通することができる。
前記外殻１０の中には制御機構９２が設置され、前記制御機構９２は前記旋転ブロック２０の回転の回数を制御して前記反応チャンバ１７の中に入る反応溶液の量を調整することで、放出した気体の量を十分にして使用者を水面から浮き出させることができる。
【００１７】
前記制御機構９２が前記外殻１０の中に設置された伝動チャンバ１３を含み、前記伝動チャンバ１３の右壁の中には左方に開口した案内溝５４が設置され、前記案内溝５４の中には案内ブロック５５がスライド可能に設置され、前記案内ブロック５５の左端面にはラック４３が連結され、前記旋転ブロック２０の右端には前記伝動チャンバ１３の中に延びたプーリ軸１５が固定的に設置され、前記伝動チャンバ１３の左壁には歯車軸３７が回転可能に設置され、前記歯車軸３７と前記プーリ軸１５とがプーリ機構１４により伝動可能に連結され、前記歯車軸３７の右端には下歯車３８が固定的に設置され、前記案内ブロック５５の下端面には下引き線３９が固定的に設置され、前記下引き線３９の一端が前記外殻１０の外部まで延びており、前記下引き線３９の引き出される長さを調整することで前記旋転ブロック２０の回転回数を調整することができる。
【００１８】
前記外殻１０の右端面には右方に開口した収納溝６５が設置され、前記収納溝６５の中には引き輪４６が置かれ、前記下引き線３９の一端と前記引き輪４６とが固定的に連結されている。
【００１９】
前記容器チャンバ２２の中には第一ピストン２３がスライド可能に設置され、反応溶液が前記第一ピストン２３の下側に位置し、前記外殻１０の中にはカムチャンバ３６が設置され、前記カムチャンバ３６の中には前記伝動チャンバ１３の中に伸びたカム軸４２が回転可能に設置され、前記カムチャンバ３６の中には前記カム軸４２の左端と固定的に連結されたカム３５が設置され、前記カム３５の外表面にはスライド溝３４が設置され、前記カムチャンバ３６の中には第二ピストン３２がスライド可能に設置され、前記第二ピストン３２の下端面には前記スライド溝３４とスライド可能に連結された伝動棒３３が固定的に設置され、前記カムチャンバ３６と前記容器チャンバ２２とが第一連結管２６により連通され、前記第一連結管２６の中には第一逆止弁２８が設置され、前記カムチャンバ３６と前記外殻１０の外部とが第二連結管４４により連通され、前記第二連結管４４の中には第二逆止弁３１が設置され、前記伝動チャンバ１３の中には前記カム軸４２の右端に固定的に連結された上歯車４１が設置され、前記ラック４３が下降すると前記上歯車４１と噛み合うことで前記第二連結管４４を通って前記第二ピストン３２の上側に入った水を、前記容器チャンバ２２の中に流れ込ませて前記第一ピストン２３を下に圧することができ、前記第一ピストン２３の圧力作用により、前記容器チャンバ２２の中の反応溶液は前記容器２４が逆にされても前記バルブ機構９１により前記反応チャンバ１７の中に入ることができる。
【００２０】
前記案内ブロック５５の左端面には左方に開口した第一スライド溝５８が設置され、前記第一スライド溝５８の中には中間棒５６がスライド可能に設置され、前記中間棒５６の左端が前記ラック４３と固定的に連結され、前記中間棒５６と前記第一スライド溝５８の前壁との間には第一ばね５７が連結され、前記伝動チャンバ１３の右壁には左方に開口した第二スライド溝５０が設置され、前記第二スライド溝５０の中にはスライドブロック２９がスライド可能に設置され、前記スライドブロック２９と前記第二スライド溝５０の内壁との間には第二ばね５１が連結され、前記スライドブロック２９の下端面には定位板４０が固定的に設置され、前記ラック４３が下降すると、前記スライドブロック２９が前記定位板４０を連動させて前へ前記中間棒５６を押圧し、前記ラック４３を前記上歯車４１と前記下歯車３８とを噛み合わせ、前記ラック４３が上昇して復帰すると、前記スライドブロック２９が復帰して前記ラック４３を上昇させて前記上歯車４１と前記下歯車３８とを噛み合わせないことで、前記ラック４３が下降するときだけ前記バルブ機構９１が作動し、反応溶液の容量を精確に制御する機能を実現する。
【００２１】
前記伝動チャンバ１３の右壁には左方に開口した第三スライド溝６４が設置され、前記第三スライド溝６４の中には装着ブロック６２がスライド可能に設置され、前記装着ブロック６２と前記第三スライド溝６４の底壁との間には第三ばね６３が連結され、前記装着ブロック６２の左端面にはリール軸５９が回転可能に設置され、前記リール軸５９にはリール６０が固定的に設置され、前記リール６０には上引き線５２が周設され、前記リール軸５９と前記装着ブロック６２との間にはねじりばね６１が連結され、前記上引き線５２の下端が前記案内溝５４の中に延びて前記案内ブロック５５の上端面と固定的に連結され、前記ねじりばね６１の弾力が前記第三ばね６３の弾力より大きいため、前記案内ブロック５５が下降する時に前記上引き線５２により前記装着ブロック６２を下降させ、前記リール軸５９の左端には押圧ブロック３０が回転可能に設置され、前記押圧ブロック３０の前端面が斜面となっており、前記押圧ブロック３０と前記スライドブロック２９の後端面とが当接している。
【００２２】
前記反応溶液は塩酸と炭酸ナトリウムである。
【００２３】
前記反応チャンバ１７の底壁の中には手動バルブ１８が設置され、前記外殻１０の外端面には定位できる定位機構６７が固定的に設置されている。
【００２４】
装置全体の機械動作の順序：
１．腕輪６６を使用者の腕に固定する。
２．使用者が落水後、引き輪４６を引き動かして下引き線３９により案内ブロック５５を下降させ、案内ブロック５５が上引き線５２によりリール６０を下に引き動かし、装着ブロック６２が最低位置に移動した時、装着ブロック６２がリール６０を回転連動させる。３．リール軸５９が押圧ブロック３０を下降連動させてスライドブロック２９に定位板４０を前に移動連動させ、定位板４０が中間棒５６を押圧して前に移動させることで、ラック４３が下降する時に上歯車４１と下歯車３８と噛み合う。
４．ラック４３と上歯車４１とが噛み合う時にカム軸４２によりカム３５を回転連動させ、第二ピストン３２が上に移動して第二ピストン３２の上側の液体を第一ピストン２３の上側に注ぐことで、第一ピストン２３が下降する時に容器チャンバ２２の中の反応溶液を加圧させ、第二ピストン３２が下降する時、外部の水が第二連結管４４によりカムチャンバ３６の中に入る。
５．ラック４３と下歯車３８とが噛み合う時に歯車軸３７と、プーリ機構１４とによりプーリ軸１５を回転連動させ、プーリ軸１５が旋転ブロック２０を回転連動させ、右溝１６と、左溝４８とにより反応溶液を反応チャンバ１７の中に送って混合を行う。
６．引き輪４６を放し、装着ブロック６２が復帰して中間棒５６が復帰させ、案内ブロック５５が復帰ばね５３の作用により復帰し、案内ブロック５５の復帰過程においてラック４３が上歯車４１と下歯車３８と噛み合わない。
７．反応チャンバ１７の中で生じた気体が通気管１２によりエアバッグ４５の中に入ることで、エアバッグ４５の中に気体を詰める。
８．度を重ねて引き輪４６を引き動かすことで、エアバッグ４５の中の気体量を十分にし、使用者を浮き出す。
【００２５】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
0006860756.tif 000002
【図２】
0006860756.tif 000003
【図３】
0006860756.tif 000004
【図４】
0006860756.tif 000005
【図５】
0006860756.tif 000006
【図６】
0006860756.tif 000007
【図７】
0006860756.tif 000008
【図８】
0006860756.tif 000009